(57)【特許請求の範囲】
【請求項１】
トランシーバが接続される同軸ケーブルの直近に配置され、この同軸ケーブル内の心線と電気的に接続されるジャックを有する同軸タップと、
この同軸タップのジャックに接続されるプラグと、アース端子と、を有する保安器本体と、
保安器本体のアース端子およびトランシーバの筐体に接続される接地線と、
を有するトランシーバ用保護装置であって、
前記同軸タップは、
同軸ケーブルが配置される溝と、溝内に形成される針と、溝外に形成される孔と、溝外に形成される誘導用の突起と、を有する上ケースと、
同軸ケーブルが配置される溝と、溝内に形成されるねじ孔と、溝外に形成される穴と、を有する下ケースと、
尖り先の先端と、下ケースのねじ孔に螺挿するためのねじ部と、を有するジャックと、
を備え、
上ケースの溝外に形成される突起が下ケースの溝外に形成される穴により誘導される状態とし、上ケースの溝外に形成される孔を挿通させたねじを下ケースの溝外に形成されるねじ孔により締結して上ケースと下ケースとを固定して、上ケースの針により電気的に接続されつつ固定された同軸ケーブルに対して、ジャックを螺挿することで尖り先の先端に心線を圧接させて電気的に接続することを特徴としたトランシーバ用保護装置。
【請求項２】
請求項１記載のトランシーバ用保護装置において、
下ケースのねじ孔に螺挿するための穴あけ用治具を備え、
前記ジャックに代えて穴あけ用治具を下ケースのねじ孔に螺挿して同軸ケーブルの心線部分まで穴開けを行うことを特徴とするトランシーバ用保護装置。
【発明の詳細な説明】
【０００１】
【発明の属する技術分野】
本発明は、ＬＡＮその他の通信回線中のトランシーバ部分に接続されて、通信ケーブルに侵入した雷サージからトランシーバを保護するトランシーバ用保護装置に関する。
【０００２】
【従来の技術】
イーサネット等のＬＡＮでは、トランシーバを雷サージから保護するために、トランシーバの直近のケーブルに保安器を取り付ける必要があった。保安器をケーブルに接続する場合、通常ケーブルが同軸ケーブルであるので、両端に同軸コネクタを備えた保安器をケーブル中に装着する方法がとられている。
【０００３】
【発明が解決しようとする課題】
しかしながら、上述した方法では、保安器を取り付ける位置のケーブルに同軸コネクタを取り付けておく必要があり、そのための作業が煩わしく非能率であり、保護装置を接続する際の作業性の改善が望まれていた。
【０００４】
【課題を解決するための手段】
そこで上記課題を解決するために、請求項１の発明は、
トランシーバが接続される同軸ケーブルの直近に配置され、この同軸ケーブル内の心線と電気的に接続されるジャックを有する同軸タップと、
この同軸タップのジャックに接続されるプラグと、アース端子と、を有する保安器本体と、
保安器本体のアース端子およびトランシーバの筐体に接続される接地線と、
を有するトランシーバ用保護装置であって、
前記同軸タップは、
同軸ケーブルが配置される溝と、溝内に形成される針と、溝外に形成される孔と、溝外に形成される誘導用の突起と、を有する上ケースと、
同軸ケーブルが配置される溝と、溝内に形成されるねじ孔と、溝外に形成される穴と、を有する下ケースと、
尖り先の先端と、下ケースのねじ孔に螺挿するためのねじ部と、を有するジャックと、
を備え、
上ケースの溝外に形成される突起が下ケースの溝外に形成される穴により誘導される状態とし、上ケースの溝外に形成される孔を挿通させたねじを下ケースの溝外に形成されるねじ孔により締結して上ケースと下ケースとを固定して、上ケースの針により電気的に接続されつつ固定された同軸ケーブルに対して、ジャックを螺挿することで尖り先の先端に心線を圧接させて電気的に接続することを特徴とした。
【０００５】
請求項２の発明は、請求項１の発明において、
下ケースのねじ孔に螺挿するための穴あけ用治具を備え、
前記ジャックに代えて穴あけ用治具を下ケースのねじ孔に螺挿して同軸ケーブルの心線部分まで穴開けを行うことを特徴とする。
【０００６】
【発明の実施の形態】
以下、図に沿って本発明の実施形態を説明する。
図１は本発明を通信ケーブルに装着する状態を示す図である。図において、１は同軸ケーブルであり、トランシーバ２が接続されている。このトランシーバ２の直ぐ近くの同軸ケーブル１に、同軸タップ３が装着されている。同軸タップ３の下部には、ＢＮＣコネクタのジャック４が突設されており、このジャック４が、保安器本体５の上部に突設されているＢＮＣコネクタのプラグ６に挿入されて接続される。
【０００７】
保安器本体５の下部にはアース端子７が突設されていて、配線８を介して接地母線と接続されている。また、アース端子７とトランシーバ２の筐体９との間には配線１０が接続されている。なお、この配線１０は、図中に破線で示したように、筐体９の右端に設けられているＤ−ＳＵＢコネクタの金具１１に接続することも可能である。図中の１２は、Ｄ−ＳＵＢコネクタに接続されるトランシーバケーブルである。
【０００８】
図２は、同軸タップ３を同軸ケーブル１に装着する場合の手順を示す分解斜視図である。同軸タップ３は、２つ割り構造をしており、ネジ１３，１４を抜き取ることで、上ケース３Ａと下ケース３Ｂとに分割される。両方の分割面に形成されている溝１５，１６に同軸ケーブル１を挟み込んで、ネジ１３，１４を締めつけることで、上ケース３Ａの溝１５内に突設されている針１７（図３に表示）が、同軸ケーブル１の外被部分に食い込み、同軸ケーブル１の外側導体と同軸タップ３が電気的に接続状態となる。
【０００９】
他方、下ケース３Ｂの溝１６の中間位置には、上ケース３Ａとの接合面と垂直にねじ孔１８が形成されており、このねじ孔１８に、最初は穴あけ用治具１９をねじ込み、同軸ケーブル１の心線部分まで穴あけをする。次いで、治具１９を抜き取り、新たに、信号用プローブ２０をねじ込む。それにより、プローブ２０の先端２１が同軸ケーブル１の心線に圧接される。
【００１０】
なお、先端２１はプローブ２０の本体部分に絶縁支持され、その他端はジャック４の中心導体となる。
また、上ケース３Ａの分割面の両端部には、突起２２，２３が突設されており、これが下ケース３Ｂの同位置に形成されている穴２４，２５に嵌合することで、上ケース３Ａと下ケース３Ｂを合体する際の位置決めとなる。
【００１１】
図３は、同軸タップ３と保安器本体５をコネクタ部で接続して一体化した状態の外観図であり、図（ａ）は上面図、図（ｂ）は正面図、図（ｃ）は側面図である。
【００１２】
図４は保安器本体５の回路図である。同軸タップ３の中心導体２６と外部導体２７との間に、ダイオードスタックＤ１〜Ｄ４とシリコンバリスタＮＲ１，ＮＲ２が互いに並列に接続されて、さらに、外部導体２７とアース端子Ｅとの間に、アレスタＡｒｒと、バリスタＶａｒが並列に接続されている。
【００１３】
【発明の効果】
以上述べたように本発明によれば、保安器と同軸ケーブルの接続に、コネクタにより保安器との着脱が自在な同軸タップを用いたことで、保安器の設置作業が容易となり作業能率を大幅に向上することが可能となる。
【図面の簡単な説明】
【図１】本発明を通信ケーブルに装着する状態を示す図である。
【図２】同軸タップを同軸ケーブルに装着する場合の手順を示す分解斜視図である。
【図３】同軸タップと保安器本体を接続して一体化した状態の外観図である。
【図４】保安器本体の回路図である。
【符号の説明】
１  同軸ケーブル
２  トランシーバ
３  同軸タップ
３Ａ  上ケース
３Ｂ  下ケース
４  ジャック
５  保安器本体
６  プラグ
７  アース端子
８  配線
９  筐体
１０  配線
１１  コネクタ金具
１２  トランシーバケーブル
１３，１４  ネジ
１５，１６  溝
１７  針
１８  ねじ孔
１９  穴あけ用治具
２０  信号用プローブ
２１  先端
２２，２３  突起
２４，２５  穴
【図１】
0004079242.tif 000002
【図２】
0004079242.tif 000003
【図３】
0004079242.tif 000004
【図４】
0004079242.tif 000005